(57)【要約】【課題】電話機と交換機が異なるサブネットのネットワークに接続されていても、それぞれのアドレス情報などが容易に設定できることで利便性が高いＩＰ電話機、交換機、交換機システムおよびその登録方法を提供する。【解決手段】交換機５が接続される第１のネットワーク２とはサブネットが異なる第２のネットワーク３へＩＰ電話機６ｂを設置する場合でも、最初に第１のネットワーク２にて交換機５のＩＰアドレスをブロードキャストで取得することで仮登録を行い、次に設置先である第２のネットワーク３へ接続して、ＩＰ電話機６ｂのＩＰアドレスの登録などを行うことにより、ＩＰ電話機６ｂが、第１のネットワーク２に接続される交換機５へ本登録を行うことができる。従って、容易にＩＰ電話機６ｂの登録ができる。【選択図】図１
2005260642.tif 000002
【特許請求の範囲】
【請求項１】
交換機と通信することができるＩＰ電話機であって、
前記交換機と通信するためのインタフェースと、
前記交換機のアドレス情報を格納するための記憶部と、
前記記憶部に前記交換機のアドレス情報が格納されているか否かを判断する判断手段と、前記判断手段が前記交換機のアドレス情報が格納されていないと判断したとき、交換機のアドレス情報を取得するためにアドレス情報送信要求をブロードキャストする手段と、
アドレス情報送信要求がブロードキャストされた後、前記交換機から送信される前記交換機のアドレス情報を受信し、前記記憶部に格納する受信手段と、
前記判断手段が前記交換機のアドレス情報が格納されていると判断したとき、前記記憶部から交換機のアドレス情報を取り出し、該アドレス情報を宛先に自装置の登録を要求する手段を備えたことを特徴とするＩＰ電話機。
【請求項２】
前記記憶部に自装置のＭＡＣアドレスを格納し、
前記アドレス情報送信要求に、前記ＭＡＣアドレスを含むことを特徴とする請求項１に記載のＩＰ電話機。
【請求項３】
前記受信手段は、前記交換機からアドレス情報と共に送信される電話番号を受信し、該電話番号を表示手段に表示することを特徴とする請求項１又は２に記載のＩＰ電話機。
【請求項４】
前記交換機のアドレス情報はＩＰアドレスであることを特徴とする請求項１から３のいずれかの項に記載のＩＰ電話機。
【請求項５】
前記記憶部に格納された前記交換機のアドレス情報を消去する手段を備えたことを特徴とする請求項１から４のいずれかの項に記載のＩＰ電話機。
【請求項６】
ＩＰ電話機と通信することができる交換機であって、
ＩＰ電話機と通信するためのインタフェースと、
前記ＩＰ電話機のアドレス情報と電話番号と関連付けて格納するとともに、自装置のアドレス情報を格納する記憶部と、
前記ＩＰ電話機から前記交換機アドレス情報の送信要求を受信すると、前記記憶部からアドレス情報を取り出して、該アドレス情報を前記ＩＰ電話機に送信する手段と、
前記ＩＰ電話機から登録要求を受信すると、前記登録要求に含まれるＩＰ電話機のアドレス情報と電話番号を関連付けて前記記憶部に記憶し、前記ＩＰ電話機を登録する手段を有することを特徴とする交換機。
【請求項７】
前記ＩＰ電話機から送信されるＩＰ電話機のＭＡＣアドレスを、前記ＩＰ電話機のアドレス情報及び電話番号とともに前記記憶部に記憶する手段を有することを特徴とする請求項６に記載の交換機。
【請求項８】
前記記憶部に格納された前記ＩＰ電話機のアドレス情報を消去する手段を備えたことを特徴とする請求項６又は７に記載の交換機。
【請求項９】
前記ＩＰ電話機のアドレス情報はＩＰアドレスであることを特徴とする請求項６から８のいずれかの項に記載の交換機。
【請求項１０】
第１のネットワークに接続される交換機と、前記第１のネットワークに直接または前記第１のネットワークとはサブネットが異なる第２のネットワークに接続されるネットワーク中継装置を介して接続可能なＩＰ電話機とを有する交換機システムにおいて、
前記ＩＰ電話機は、前記交換機のアドレス情報を格納する記憶手段と、
前記第１のネットワークへブロードキャストで前記交換機のアドレス情報を問い合わせる手段と、
前記問い合わせに対して交換機から送信された前記交換機のアドレス情報を受信し前記記憶手段に格納する手段と、
前記記憶手段から交換機のアドレス情報を取得し、この取得したアドレス情報に基づいて前記第２のネットワークを介して交換機に接続し、前記ＩＰ電話機の登録を要求する手段とを備え、
前記交換機は、前記ＩＰ電話機からのアドレス情報の問い合わせに応じて、前記ＩＰ電話機のＭＡＣアドレスを交換機の記憶手段に記憶するとともに、前記交換機のアドレス情報を通知する手段と、
前記ＩＰ電話機からの登録要求に応じて、前記ＩＰ電話機のアドレス情報を前記ＭＡＣアドレスに対応付けて交換機の記憶手段に記憶する手段とを備えたものであることを特徴とする交換機システム。
【請求項１１】
前記交換機は、前記ＩＰ電話機からのアドレス情報の問い合わせに応じて、前記ＩＰ電話機の電話番号を割り当てる手段と、この割り当てた電話番号を前記電話機へ通知する手段を有し、
前記ＩＰ電話機は、前記交換機から通知された割り当てられた電話番号を受信する手段と、受信した電話番号を表示する表示手段とを備えたことを特徴とする請求項１０に記載の交換機システム。
【請求項１２】
前記ＩＰ電話機に、前記記憶手段に格納された前記交換機のアドレス情報を消去する手段を備えたことを特徴とする請求項１０又は１１に記載の交換機システム
【請求項１３】
前記交換機に、前記記憶手段に格納されたＩＰ電話機のアドレス情報を消去する手段を備えたことを特徴とする請求項１０から１２のいずれかの項に記載の交換機システム。
【請求項１４】
第１のネットワークに接続される交換機と、前記第１のネットワークに直接または前記第１のネットワークとはサブネットが異なる第２のネットワークに接続されるネットワーク中継装置を介して接続可能なＩＰ電話機とを有する交換機システムの登録方法において、前記ＩＰ電話機を前記第１のネットワークに接続するステップと、
前記ＩＰ電話機が、前記第１のネットワークへブロードキャストで前記交換機のアドレス情報を問い合わせるステップと、
前記交換機が、アドレス情報の問い合わせに応じて、前記交換機のアドレス情報を通知するステップと、
前記ＩＰ電話機が、前記交換機から送信された前記交換機のアドレス情報を受信し前記記憶手段に格納するステップと、
前記ＩＰ電話機を前記第２のネットワークに接続するステップと、
前記ＩＰ電話機が、前記記憶手段から交換機のアドレス情報を取得し、この取得したアドレス情報に基づいて前記第２のネットワークを介して交換機に接続し、前記ＩＰ電話機の登録を要求するステップとを含むことを特徴とする交換機システムの登録方法。
【発明の詳細な説明】
【技術分野】
【０００１】
本発明は、交換機とその交換機に収容されるＩＰ電話機とがＬＡＮ（Local Area Network）で接続される交換機システムおよびその登録方法に関する。
【背景技術】
【０００２】
オフィスなどで使用される電話機として、インターネットなどのネットワークを利用したＩＰ（Internet Protocol）電話機が広まってきている。このＩＰ電話機は、ＬＡＮで交換機に接続されることで、専用線、公衆網や、インターネットなどを介して通話相手と会話することが可能である。
【０００３】
このＩＰ電話機を用いて発信または着信をできるようにするためには、色々な設定をＩＰ電話機側と交換機側に行う必要がある。ＩＰ電話機と交換機はＬＡＮを介して接続されるため、ＩＰアドレスを割り当てる必要がある。このＩＰアドレスは交換機側で一元管理される。このＩＰアドレスを交換機が動的にＩＰ電話機に割り当てる交換機システムが知られている（例えば、特許文献１参照。）。この特許文献１の交換機システムは、ＩＰ電話機からのブロードキャストパケットを受信した交換機が動的にＩＰアドレスを割り当てるものである。
【特許文献１】特開２００３−２７３８９９号公報
【発明の開示】
【発明が解決しようとする課題】
【０００４】
（特許文献１）に記載の交換機システムでは、ブロードキャストパケット用いてＩＰアドレスのような電話機を識別するアドレス情報を割り当てている。
【０００５】
しかし、交換機とＩＰ電話機がサブネットが異なるネットワークにそれぞれ接続され、これらのネットワークがルータなどのネットワーク中継装置を介して接続されている場合には、交換機やＩＰ電話機が送信するブロードキャストパケットがネットワーク中継装置を通過できないので、アドレス情報などを電話機に割り当てることができない。また、交換機と同じサブネットのネットワークに接続されていたＩＰ電話機が、そのＩＰ電話機を使用する使用者の配転などでこのＩＰ電話機とともに移動したことで、異なるサブネットのネットワークとなることはよくあることである。
【０００６】
このように、交換機とＩＰ電話機が異なるサブネットのネットワークに接続される場合は、交換機へは、ＩＰ電話機に割り当てたＩＰアドレスや、ＩＰ電話機のＭＡＣ（Media Access Control）アドレスなどのアドレス情報や、電話番号を設定し、ＩＰ電話機へは交換機のＩＰアドレスなどのアドレス情報を一つ一つ設定する必要がある。この設定作業は、英数字の羅列であるため、繁雑であり誤って設定する可能性もある。
【０００７】
そこで本発明は、ＩＰ電話機と交換機が異なるサブネットのネットワークに接続されていても、それぞれのアドレス情報などが容易に設定できることで利便性が高いＩＰ電話機、交換機、交換機システムおよびその登録方法を提供することを目的とする。
【課題を解決するための手段】
【０００８】
本発明は、交換機と通信することができるＩＰ電話機であって、前記交換機と通信するためのインタフェースと、前記交換機のアドレス情報を格納するための記憶部と、前記記憶部に前記交換機のアドレス情報が格納されているか否かを判断する判断手段と、前記判断手段が前記交換機のアドレス情報が格納されていないと判断したとき、交換機のアドレ
ス情報を取得するためにアドレス情報送信要求をブロードキャストする手段と、アドレス情報送信要求がブロードキャストされた後、前記交換機から送信される前記交換機のアドレス情報を受信し、前記記憶部に格納する受信手段と、前記判断手段が前記交換機のアドレス情報が格納されていると判断したとき、前記記憶部から交換機のアドレス情報を取り出し、該アドレス情報を宛先に自装置の登録を要求する手段を備えることを特徴とするものである。
【発明の効果】
【０００９】
本発明の交換機システムは、第１のネットワークに接続されている電話機を、サブネットが異なる第２のネットワークへ電話機を設置する場合でも、最初に第１のネットワークにて交換機５のアドレス情報をブロードキャストで取得することで仮登録を行い、次に第２のネットワークにて、取得した交換機のアドレス情報に基づいて、ＩＰ電話機が、第１のネットワークに接続される交換機へ本登録を行うことができる。
【００１０】
よって、電話機と交換機が異なるサブネットのネットワークに接続されていても、それぞれのアドレス情報などが容易に設定できることで利便性が高い交換機システムとすることができる。
【発明を実施するための最良の形態】
【００１１】
本願の第１の発明は、判断手段が前記交換機のアドレス情報が格納されていないと判断したとき、交換機のアドレス情報を取得するためにアドレス情報送信要求をブロードキャストする手段と、アドレス情報送信要求がブロードキャストされた後、交換機から送信される交換機のアドレス情報を受信し、記憶部に格納する受信手段と、判断手段が交換機のアドレス情報が格納されていると判断したとき、記憶部から交換機のアドレス情報を取り出し、該アドレス情報を宛先に自装置の登録を要求する手段を備えたことを特徴としたものであり、ＩＰ電話機が、交換機に登録要求をする前に、交換機のアドレスを取得するように構成しているため、交換機の接続されているサブネットで一旦交換機のアドレスを取得すれば、ＩＰ電話機を別のサブネットに接続しても、交換機に正常に登録要求をして交換機に登録することができる。
【００１２】
本願の第２の発明は、記憶部に自装置のＭＡＣアドレスを格納し、アドレス情報送信要求に、ＭＡＣアドレスを含むことを特徴としたものであり、ユニークな番号であるＭＡＣアドレスを交換機に送信できるため、交換機側にどのＩＰ電話機からアドレス情報送信要求があったかを通知することができる。
【００１３】
本願の第３の発明は、受信手段は、交換機からアドレス情報と共に送信される電話番号を受信し、該電話番号を表示手段に表示することを特徴としたものであり、交換機から割り当てられた電話番号を容易に確認することができる。特に、交換機のアドレス情報を取得する際に、交換機から電話番号の割当てを受けることができるから、交換機側が交換機のアドレス情報を取得した順番に若番から電話番号を割り当てるような場合には、順番にＩＰ電話機を接続することにより、順番に電話番号を割り当てることができる。
【００１４】
本願の第４の発明は、交換機のアドレス情報はＩＰアドレスであることを特徴としたものであり、このＩＰ電話機は、イーサネット（登録商標）等を用いたネットワークを利用することができる。
【００１５】
本願の第５の発明は、記憶部に格納された交換機のアドレス情報を消去する手段を備えたことを特徴としたものであり、一旦交換機に登録した後であっても、記憶部に格納された交換機のアドレス情報を消去することにより、別の交換機に登録することができる。
【００１６】
本願の第６の発明は、ＩＰ電話機と通信することができる交換機であって、ＩＰ電話機と通信するためのインタフェースと、ＩＰ電話機のアドレス情報と電話番号と関連付けて格納するとともに、自装置のアドレス情報を格納する記憶部と、ＩＰ電話機から交換機アドレス情報の送信要求を受信すると、記憶部からアドレス情報を取り出して、該アドレス情報をＩＰ電話機に送信する手段と、ＩＰ電話機から登録要求を受信すると、登録要求に含まれるＩＰ電話機のアドレス情報と電話番号を関連付けて記憶部に記憶し、ＩＰ電話機を登録する手段を有することを特徴としたものであり、交換機は、ＩＰ電話機が交換機に登録要求をする前でも、要求に応じて、交換機のアドレスをＩＰ電話機に送信することができるため、交換機に接続しようとするＩＰ電話機は、交換機の接続されているサブネットで一旦交換機のアドレスを取得すれば、ＩＰ電話機を別のサブネットに接続しても、交換機に正常に登録要求をして交換機に登録することができるようになる。
【００１７】
本願の第７の発明は、ＩＰ電話機から送信されるＩＰ電話機のＭＡＣアドレスを、ＩＰ電話機のアドレス情報及び電話番号とともに記憶部に記憶する手段を有することを特徴としたものであり、ユニークな番号であるＭＡＣアドレスを交換機に登録できるため、交換機側でどのＩＰ電話機からアドレス情報送信要求や登録要求があったかを識別することができる。
【００１８】
本願の第８の発明は、記憶部に格納されたＩＰ電話機のアドレス情報を消去する手段を備えたことを特徴としたものであり、一旦交換機にＩＰ電話機のアドレス情報を登録した後であっても、記憶部に格納されたＩＰ電話機のアドレス情報を消去することができる。
【００１９】
本願の第９の発明は、ＩＰ電話機のアドレス情報はＩＰアドレスであることを特徴としたものであり、この交換機は、イーサネット（登録商標）等を用いたネットワークを利用することができる。
【００２０】
本願の第１０の発明は、第１のネットワークに接続される交換機と、第１のネットワークに直接または第１のネットワークとはサブネットが異なる第２のネットワークに接続されるネットワーク中継装置を介して接続可能なＩＰ電話機とを有する交換機システムにおいて、ＩＰ電話機は、交換機のアドレス情報を格納する記憶手段と、第１のネットワークへブロードキャストで交換機のアドレス情報を問い合わせる手段と、問い合わせに対して交換機から送信された交換機のアドレス情報を受信し記憶手段に格納する手段と、記憶手段から交換機のアドレス情報を取得し、この取得したアドレス情報に基づいて第２のネットワークを介して交換機に接続し、ＩＰ電話機の登録を要求する手段とを備え、交換機は、ＩＰ電話機からのアドレス情報の問い合わせに応じて、ＩＰ電話機のＭＡＣアドレスを交換機の記憶手段に記憶するとともに、交換機のアドレス情報を通知する手段と、ＩＰ電話機からの登録要求に応じて、ＩＰ電話機のアドレス情報をＭＡＣアドレスに対応付けて交換機の記憶手段に記憶する手段とを備えたものであり、予め交換機と同じネットワークである第１のネットワークにＩＰ電話機を接続して、ブロードキャストで交換機のアドレス情報を取得した後、第１のネットワークとサブネットが異なる第２のネットワークに接続し、交換機のアドレス情報に基づいて、ＩＰ電話機のアドレス情報の割り当てを要求する通知を交換機へ送信する。これにより、交換機とＩＰ電話機とが異なるサブネットのネットワークに接続する場合でも、それぞれの設定が容易に、かつ誤操作することなく行うことができる。
【００２１】
本願の第１１の発明は、交換機は、ＩＰ電話機からのアドレス情報を問い合わせに応じて、ＩＰ電話機の電話番号を割り当てる手段と、この割り当てた電話番号をＩＰ電話機へ通知する手段を有し、ＩＰ電話機は、交換機から通知された割り当てられた電話番号を受信する手段と、受信した電話番号を表示する表示手段とを備えたことを特徴としたものであり、ＩＰ電話機に、記憶手段に格納されたＩＰ電話機の電話番号を表示する表示手段を
備えたので、交換機から割り当てられた電話番号を容易に確認することができる。
【００２２】
本願の第１２の発明は、ＩＰ電話機に、記憶手段に格納された交換機のアドレス情報を消去する手段を備えたことを特徴としたものであり、ＩＰ電話機に、記憶手段に格納された交換機のアドレス情報を消去する手段を備えたので、再度ＩＰ電話機を移転する場合でも、この交換機のアドレス情報を消去することで、ＩＰ電話機および交換機の再設定が可能である。
【００２３】
本願の第１３の発明は、交換機に、記憶手段に格納されたＩＰ電話機のアドレス情報を消去する手段を備えたことを特徴としたものであり、一旦交換機にＩＰ電話機のアドレス情報を登録した後であっても、記憶部に格納されたＩＰ電話機のアドレス情報を消去することができる。
【００２４】
本願の第１４の発明は、第１のネットワークに接続される交換機と、第１のネットワークに直接または第１のネットワークとはサブネットが異なる第２のネットワークに接続されるネットワーク中継装置を介して接続可能なＩＰ電話機とを有する交換機システムの登録方法において、ＩＰ電話機を前記第１のネットワークに接続するステップと、ＩＰ電話機が、第１のネットワークへブロードキャストで交換機のアドレス情報を問い合わせるステップと、交換機が、アドレス情報の問い合わせに応じて、交換機のアドレス情報を通知するステップと、ＩＰ電話機が、交換機から送信された交換機のアドレス情報を受信し記憶手段に格納するステップと、ＩＰ電話機を第２のネットワークに接続するステップと、ＩＰ電話機が、記憶手段から交換機のアドレス情報を取得し、この取得したアドレス情報に基づいて第２のネットワークを介して交換機に接続し、電話機の登録を要求するステップとを含むことを特徴としたものであり、予め交換機と同じネットワークである第１のネットワークにＩＰ電話機を接続して、ブロードキャストで交換機のアドレス情報を取得した後、第１のネットワークとサブネットが異なる第２のネットワークに接続し、交換機のアドレス情報に基づいて、ＩＰ電話機の登録を要求する通知を交換機へ送信する。これにより、交換機とＩＰ電話機とが異なるサブネットのネットワークに接続する場合でも、それぞれの設定が容易に、かつ誤操作することなく行うことができる。
【００２５】
（実施の形態）
以下、図面に基づいて本発明の実施の形態について説明する。図１は本発明の実施の形態に係る交換機システムの構成を説明する図であり、（ａ）はＩＰ電話機が第１のネットワークに接続されている状態の図、（ｂ）はＩＰ電話機が第２のネットワークに接続されている図である。図１（ａ）に示すように、本発明の実施の形態に係る交換機システム１は、第１のネットワーク２と、第２のネットワーク３とがネットワーク中継装置であるルータ４で接続されている。
【００２６】
第１のネットワーク２には、交換機５に、ＩＰ電話機６（６ａ，６ｂ）と、ＤＨＣＰ（Dynamic Host Configuration Protocol）サーバ９と、図示しない複数のＩＰ電話機とが、ＬＡＮスイッチ７を介して接続されている。また交換機５は、第２のネットワーク３や、図示しない他のネットワークとはルータ４を介して接続されている。
【００２７】
ＬＡＮスイッチ７は、ブリッジ機能を有しており、データリンク層のデータの一部である宛先ＭＡＣアドレスを見てデータ行き先を決定するスイッチングハブである。このＬＡＮスイッチ７はリピータハブでもよい。ＩＰ電話機６は、ＬＡＮスイッチ７を介して交換機５と接続されているが、交換機５のＬＡＮポートの口数が不足しないのであれば、直接接続してもよい。
【００２８】
第２のネットワーク３には、交換機５に収容される、図示しないＩＰ電話機やＤＨＣＰ
サーバ１０がＬＡＮスイッチ８に接続されている。ＬＡＮスイッチ８は、ＬＡＮスイッチ７と同じ機能を有したスイッチングハブであるが、同様にリピータハブとしてもよい。
【００２９】
第１のネットワーク２と第２のネットワーク３とはサブネットが異なっている。つまり、ブロードキャストのパケットは、同一ネットワークの範囲内にしか到達しない。すなわち、第１のネットワーク２に接続された装置からのブロードキャストのパケットは、第１のネットワーク２内にしか到達せず、第２のネットワーク３には到達しない。また、第２のネットワーク３に接続された装置からのブロードキャストのパケットは第２のネットワーク３内の範囲にしか到達しない。
【００３０】
これはルータ４がこのブロードキャストのパケットを通過させないためである。なお、それぞれ第１のネットワーク２または第２のネットワーク３に接続されている装置は、通信先相手のアドレス情報であるＩＰアドレスを指定して、サブネットの異なる他のネットワークに接続される装置と通信する。
【００３１】
次に、ＩＰ電話機６の構成について図２および図３に基づいて説明する。図２は図１の交換機システムに用いる電話機の一例であるＩＰ電話機の構成を説明する図である。図３は図２の電話機データ制御部の構成を説明する図である。図２に示すように、ＩＰ電話機６は、ＬＡＮ−Ｉ／Ｆ部２１と、ＩＰパケット処理部２２と、音声符号化部２３と、マイク２４と、スピーカ２５と、入力部２６と、表示部２７と、電話機データ記憶部２８と、電話機データ制御部２９とを備えている。
【００３２】
ＬＡＮ−Ｉ／Ｆ部２１は、ＬＡＮスイッチ７や、交換機５に接続するために、１００Ｂａｓｅ−Ｔや１００Ｂａｓｅ−Ｔｘなどの電気的変換を行うインタフェースである。ＩＰパケット処理部２２は、ディジタル化した音声データをＩＰパケットとしてＬＡＮ−Ｉ／Ｆ部２１へ送出する。また、ＬＡＮ−Ｉ／Ｆ部２１から受信したパケットを音声データに変換し音声符号化部２３へ通知する。また、電話機データ制御部２９からのデータをＩＰパケットとしてＬＡＮ−Ｉ／Ｆ部２１を介して送出する。
【００３３】
音声符号化部２３は、マイク２４から入力したアナログの音声信号をディジタルデータに変換してＩＰパケット処理部２２へ通知する。また、音声符号化部２３は、ＩＰパケット処理部２２から受信した音声データをデコードしアナログ信号をスピーカ２５へ送出する。入力部２６は、図示しないダイヤルボタンなどを押下して入力された信号を電話機データ制御部２９へ通知するとともに、表示部２７に通知する。表示部２７は、液晶表示パネルなどが使用することができ、入力部２６にて入力された相手先電話番号などを表示する。また、交換機５より割り当てられた電話番号を表示する機能を有する。
【００３４】
電話機データ記憶部２８は、交換機５のアドレス情報であるＩＰアドレス、交換機５から受信した電話番号、自装置のＭＡＣアドレスなどを格納する記憶手段である。また、交換機５により割り当てられた電話番号を格納する機能も有している。
【００３５】
ここで、電話機データ制御部２９の構成を図３に基づいて説明する。電話機データ制御部２９は、発信制御部２９ａと、交換機アドレス要求部２９ｂと、交換機アドレス受信部２９ｃと、電話機アドレス要求部２９ｄと、電話機アドレス受信部２９ｅと、交換機アドレス消去部２９ｆとを備えている。発信制御部２９ａは、入力部２６から入力された電話番号に基づいて、電話機データ記憶部２８に格納されたＩＰアドレスの交換機５へＩＰパケット処理部２２を介して発呼を行う。
【００３６】
交換機アドレス要求部２９ｂは、電話機データ記憶部２８に交換機５のアドレス情報であるＩＰアドレスが格納されていないと判断した場合に、ブロードキャストで交換機５の
ＩＰアドレスを問い合わせる手段である。その際には、交換機５がどのＩＰ電話機６からの問い合わせかを判別するために、交換機アドレス要求部２９ｂは、ＭＡＣアドレスを交換機５へ通知する。
【００３７】
なお、交換機５のＩＰアドレスを問い合わせるためのＩＰパケットは、ＭＡＣフレームにのせられてブロードキャストされる。このＭＡＣフレームには送信元ＭＡＣアドレスとしてＩＰ電話機６のＭＡＣアドレスが付加されており、ＭＡＣアドレスの通知は、ＭＡＣフレームで行なう。但し、ＩＰ電話機６のＭＡＣアドレスをＩＰパケットのデータ部にのせて通知するようにしてもよい。
【００３８】
電話機データ記憶部２８に交換機５のアドレス情報であるＩＰアドレスが格納されていないとは、新規にＩＰ電話機６を交換機５へ接続する場合に、交換機５のＩＰアドレスが未設定な状態をいう。この交換機アドレス要求部２９ｂから交換機５のＩＰアドレスを問い合わせるパケットはブロードキャストで送信されるため、ＩＰ電話機６を第１のネットワーク２に接続した状態で行う。
【００３９】
交換機アドレス受信部２９ｃは、交換機アドレス要求部２９ｂより送信された問い合わせに対して交換機５から送信された交換機５のＩＰアドレスを、ＩＰパケット処理部２２を介して受信し、電話機データ記憶部２８に格納する手段である。
【００４０】
電話機アドレス要求部２９ｄは、ＤＨＣＰ手順でＩＰアドレスをＤＨＣＰサーバ９へ要求する手段である。すなわち、電話機アドレス要求部２９ｄは、ＩＰパケット処理部２２を介して、ＵＤＰプロトコルにてＤＨＣＰ発見パケットをブロードキャストする。そして、ＤＨＣＰサーバ９から応答があれば、ＤＨＣＰサーバ９宛てにＩＰアドレス割り当て要求のパケットを送信する。
【００４１】
電話機アドレス受信部２９ｅは、電話機アドレス要求部２９ｄによるＩＰ電話機６のＩＰアドレスの割り当て要求に対してＤＨＣＰサーバ９から送信されたＩＰ電話機６のＩＰアドレスを電話機データ記憶部２８に格納する手段である。また、交換機５からの割り当てられたＩＰ電話機６の電話番号を電話データ記憶部２８へ格納する機能も有している。
【００４２】
交換機アドレス消去部２９ｆは、電話機データ記憶部２８に格納された交換機５のＩＰアドレスや電話番号を消去する手段である。ＩＰ電話機６を例えば第１のネットワーク２または第２のネットワーク３から他のネットワークへ設置する場合には、この交換機アドレス消去部２９ｆにより交換機５のＩＰアドレスおよび電話番号を消去することで、新たな移転先でのＩＰ電話機６のＩＰアドレスおよび電話番号を割り当てさせることができる。
【００４３】
次に、本発明の実施の形態に係る交換機システムの交換機５の構成について、図４に基づいて説明する。図４は図１の交換機システムに用いられる交換機の構成を説明する図である。
【００４４】
交換機５は、ＬＡＮ−Ｉ／Ｆ部１１と、アップリンクＩ／Ｆ部１２と、スイッチ部１３と、記憶部１４と、制御部１５と、を備えている。ＬＡＮ−Ｉ／Ｆ部１１は、ＬＡＮスイッチ７やＩＰ電話機６などの下位装置と接続するために、１００Ｂａｓｅ−Ｔや１００Ｂａｓｅ−Ｔｘなどの電気的変換を行うインタフェースである。
【００４５】
アップリンクＩ／Ｆ部１２は、ルータ４などの上位装置と接続するために、１００Ｂａｓｅ−Ｔや１００Ｂａｓｅ−Ｔｘなどの電気的変換をインタフェースである。スイッチ部１３は、ＬＡＮ−Ｉ／Ｆ部１１またはアップリンクＩ／Ｆ部１２から入力されたパケット
のＭＡＣアドレスを判定して、該当するＬＡＮ−Ｉ／Ｆ部１１またはアップリンクＩ／Ｆ部１２へパケットを出力するＬ２スイッチである。
【００４６】
記憶部１４は、ＩＰ電話機管理テーブル１４ａと、交換機アドレス記憶部１４ｂとを有している。ＩＰ電話機管理テーブル１４ａは、ＩＰ電話機６のＩＰアドレス、ＭＡＣアドレス、電話番号などを対応付けて格納する記憶手段である。また、交換機アドレス記憶部１４ｂは、交換機５のＩＰアドレスを格納する記憶手段である。
【００４７】
制御部１５は、交換機アドレス通知部１５ａと、電話番号割当部１５ｂと、ＩＰ電話機登録管理部１５ｃと、ＩＰ電話機管理テーブル消去部１５ｄを備えるとともに、交換機５全体を制御する。交換機アドレス通知部１５ａは、ＩＰ電話機６からの交換機５のＩＰアドレスの問い合わせに応じて、交換機５のＩＰアドレスを交換機アドレス記憶部１４ｂから取り出し、後述する電話番号割当部１５ｂで割り当てた電話番号とともに通知する手段である。
【００４８】
電話番号割当部１５ｂは、新規に交換機５に収容されるＩＰ電話機６の電話番号を、交換機５に割り当てられた電話番号の中から既に割り当てた電話番号を除いて、新たに電話番号を割り当てる。なお、電話番号の割り当ては、交換機５に割り当てられた電話番号の中から既に割り当てた電話番号を除いて、若い番号順に割り当てるようにしてもよい。このようにすれば、順番にＩＰ電話機６を接続することにより、順番に電話番号を割り当てることができるから、複数のＩＰ電話機に電話番号を割り当てる際に、割り当てたい電話番号順にＩＰ電話機６を接続することで、容易にＩＰ電話機６に電話番号を割り当てることができる。
【００４９】
ＩＰ電話機登録管理部１５ｃは、割り当てたＩＰ電話機６の電話番号や、受信したＩＰ電話機６のＭＡＣアドレス、ＩＰアドレスなどをそれぞれ対応付けてＩＰ電話機管理テーブル１４ａへ格納する。ＩＰ電話機管理テーブル消去部１５ｄは、ＩＰ電話機６のＭＡＣアドレス、ＩＰアドレスなどをそれぞれ対応付けてＩＰ電話機管理テーブル１４ａを消去する手段であり、ＩＰ電話機毎に情報を消去したり、全てのＩＰ電話機の情報を消去したりすることができる。このＩＰ電話機管理テーブル消去手段１５ｄは、交換機５にＬＡＮ−Ｉ／Ｆ部１１を介して接続、又はＲＳ−２３２Ｃなどのインタフェースを介して接続した保守端末からの操作で制御することができる。
【００５０】
次に、本発明の実施の形態に係る交換機システムの動作を説明する。図５は図１の交換機システムに用いられる電話機の動作を説明するフローチャートである。図６は図１の交換機の動作を説明するフローチャートである。
【００５１】
本実施の形態では、図１（ａ），同図（ｂ）に示すように、交換機５が接続している第１のネットワーク２とはサブネットが異なる第２のネットワーク３にＩＰ電話機６ｂを設置する際に、交換機５へＩＰ電話機を登録する場合を例に説明する。
【００５２】
まず、ＩＰ電話機６ｂの動作を図１および図５に基づいて説明する。図１（ａ）に示すように、予めＩＰ電話機６ｂをＬＡＮスイッチ７に接続することで、交換機５と通信可能な状態とする。この接続の状態において、電話機データ記憶部２８には、交換機５のＩＰアドレスおよび電話番号は格納されていないものとする。つまり、ＩＰ電話機６ｂは、電話機データ記憶部２８に格納されたこれらの交換機５のＩＰアドレスおよびＩＰ電話機６ｂの電話番号を、交換機アドレス消去部２９ｆなどにより予め消去した状態である。
【００５３】
図５に示すように、まず初期状態としてＩＰ電話機６ｂの電源を投入またはリセットを投入する（Ｓ１００）。電話機データ制御部２９の交換機アドレス要求部２９ｂは、電話
機データ記憶部２８を参照して、交換機５のＩＰアドレスが取得済みか否かを判定する（Ｓ１１０）。
【００５４】
Ｓ１１０にて未取得状態である場合は、Ｓ１２０へ移行する。この場合は、上述したように、交換機アドレス消去部２９ｆなどにより電話機データ記憶部２８の内容を予め消去しているので、Ｓ１２０へ移行することとなる。
【００５５】
交換機アドレス要求部２９ｂは、交換機５のアドレス情報であるＩＰアドレスの問い合わせを、ブロードキャストでＩＰ電話機６ｂのＭＡＣアドレスを含むパケットとして第１のネットワーク２へ送信する（Ｓ１２０）。
【００５６】
ＩＰ電話機６ｂと、交換機５とは、同じ第１のネットワーク２にそれぞれ接続されており、サブネットが同一であるので、ブロードキャストのパケットが到達する範囲である。従って、ＩＰ電話機６ｂは交換機５のＩＰアドレスが未取得であってもパケットをブロードキャストとすることで、交換機５へＩＰアドレスの問い合わせを送信することができる。
【００５７】
交換機５から、このＩＰ電話機６ｂのＭＡＣアドレスを含むブロードキャストのパケットに応答するパケットに含まれる交換機５のＩＰアドレスとＩＰ電話機６ｂに割り当てられた電話番号を交換機アドレス受信部２９ｃがＩＰパケット処理部２２を介して受信し、電話機データ記憶部２８へ格納する（Ｓ１３０）。
【００５８】
ＩＰ電話機６ｂの表示部２７は、交換機アドレス受信部２９ｃから受信した電話番号を表示する（Ｓ１４０）。この表示により交換機５から交換機５のＩＰアドレスの取得した仮登録の完了を操作者へ示すことができる。操作者はこの表示により、このＩＰ電話機６ｂの電話番号を容易に確認することができる（Ｓ１５０）。
【００５９】
次に、図１（ｂ）に示すようにＩＰ電話機６ｂを設置先である第２のネットワーク３のＬＡＮスイッチ８へ接続する。この状態において、図５に示すようにＩＰ電話機６ｂの電源を投入する（Ｓ１００）。
【００６０】
そして、交換機アドレス要求部２９ｂは、電話機データ記憶部２８を参照して、交換機５のＩＰアドレスが取得済みか否かを判定するが、既に交換機５のＩＰアドレスは取得済みであるので、Ｓ１６０へ移行する（Ｓ１１０）。
【００６１】
ＩＰ電話機６ｂの電話機アドレス要求部２９ｄは、電話機データ記憶部２８にＩＰ電話機６ｂのＩＰアドレスが格納されているか否かの判定をする。この判定によりＩＰ電話機６ｂのＩＰアドレスがＤＨＣＰサーバから割り当てられているか否かを確認することができる（Ｓ１６０）。
【００６２】
Ｓ１６０にて、電話機アドレス要求部２９ｄは、電話機データ記憶部２８にＩＰ電話機６ｂのＩＰアドレスが格納されていないので、まだＩＰ電話機６ｂのＩＰアドレスの割り当てされていないことを判定する。この判定により電話機アドレス要求部２９ｄは、ＤＨＣＰ手順にてＩＰ電話機６ｂのＩＰアドレスの割り当てをＤＨＣＰサーバ１０へ要求する（Ｓ１７０）。
【００６３】
Ｓ１６０にてＩＰ電話機６ｂのＩＰアドレスが割り当て済みとされた場合、およびＳ１７０の処理にてＩＰ電話機６ｂのＩＰアドレスが割り当てられた場合に、ＩＰ電話機６ｂのＩＰアドレス、電話番号、ＭＡＣアドレスの各情報を交換機５へ送信する（Ｓ１８０）。
【００６４】
このＩＰ電話機６ｂの情報を送信することで、交換機５はＩＰ電話機６ｂのＩＰアドレスと、ＭＡＣアドレスと、電話番号とをそれぞれ対応づけて登録する。
【００６５】
そしてこの登録が完了した旨の通知を交換機５からＩＰ電話機６ｂへ通知する（Ｓ１９０）。この通知により交換機５へＩＰ電話機６ｂが登録されことをＩＰ電話機６ｂ側で認識できる（Ｓ２００）。
【００６６】
次に、交換機５の動作を図１，図５および図６に基づいて説明する。まず交換機５は通常に運用している状態である。つまりＩＰ電話機６ａからの発呼や、ＩＰ電話機６ａへの着呼などの制御を行っている状態である（Ｓ２１０）。図１（ａ）に示す接続状態において、ＩＰ電話機６ｂがＬＡＮスイッチ７を介して交換機５と接続されている状態で、ＩＰ電話機６ｂの電源が投入されると、ＩＰ電話機６ｂは交換機５のＩＰアドレスを要求するパケットをブロードキャストで送信する。これは図５のＳ１２０の処理でＩＰ電話機６ｂから送信されるパケットである。
【００６７】
図６に示すように、このブロードキャストのパケットを受信した交換機５の制御部１７はそのパケットの解析を行う（Ｓ２２０）。その結果、ＩＰ電話機６ｂからの交換機５のＩＰアドレスの問い合わせでなく、ＩＰ電話機６ｂからのＩＰアドレス等の通知でもない場合、その他の処理を要求するパケットとして、受信したパケットに応じた処理を行う（Ｓ３００）。
【００６８】
Ｓ２２０にて、受信したパケットがＩＰ電話機６ｂからの交換機５のＩＰアドレスを問い合わせ要求である仮登録の依頼である場合、受信したパケットに含まれるＭＡＣアドレスが既にＩＰ電話機管理テーブル１４ａに登録済みか否かをＩＰ電話機登録管理部１５ｃが判定する（Ｓ２３０）。
【００６９】
Ｓ２３０にてＩＰ電話機管理テーブル１４ａにＩＰ電話機６ｂのＭＡＣアドレスが既に登録済みと判定された場合は、ＩＰ電話機６ｂが交換機５に登録済みであるにもかかわらず、再度交換機５のＩＰアドレスを問い合わせる要求を送信したという状態であるので、ＩＰ電話機登録管理部１５ｃは、仮登録は不可として交換機５からＩＰ電話機６ｂへその旨を送信して、登録処理を完了し通常運用に戻る（Ｓ２４０）。
【００７０】
Ｓ２３０にて、ＩＰ電話機管理テーブル１４ａにＩＰ電話機６ｂのＭＡＣアドレスが登録されていないと判定された場合、電話番号割当部１５ｂがＩＰ電話機６ｂの電話番号を割り当て、ＩＰ電話機６ｂのＭＡＣアドレスと対応付けてＩＰ電話機管理テーブル１４ａへこの電話番号を格納する（Ｓ２５０）。
【００７１】
交換機アドレス通知部１５ａは、ＩＰ電話機６ｂからの交換機５のＩＰアドレスの問い合わせに応じて、交換機５のＩＰアドレスを交換機アドレス記憶部１４ｂから取り出し、電話番号割当部１５ｂで割り当てた電話番号とともに通知する（Ｓ２６０）。このＳ２６０の処理が完了すると、第１のネットワーク２に接続したＩＰ電話機６ｂは仮登録を完了した図５に示すＳ１５０の状態となる。
【００７２】
次に、図１（ｂ）示す接続状態において、ＩＰ電話機６ｂを第２のネットワーク３に接続する。ＩＰ電話機６ｂは、図５に示すＳ１７０の処理にて、ＤＨＣＰ手順によりＩＰ電話機６ｂのＩＰアドレスの割り当てを要求する通知をＤＨＣＰサーバ１０へ送信し、ＤＨＣＰサーバ１０からＩＰアドレスの割当てを受信する。その後、ＩＰ電話機６ｂは、自装置の情報（ＩＰアドレスと、ＭＡＣアドレスと、電話番号）とを電話機データ記憶部２８から取出し、交換機５のＩＰアドレス宛てに送信する。
【００７３】
ＩＰ電話機６ｂからこの情報を受信した交換機５は、Ｓ２２０にて登録要求であると判定してＳ２７０へ移行する。ＩＰ電話機登録管理部１５ｃは、ＩＰ電話機管理テーブル１４ａを参照して、要求したＩＰ電話機６ｂのＭＡＣアドレスが登録済みか否かを判定する（Ｓ２７０）。これは、交換機５が仮登録していないＩＰ電話機６ｂに対しての本登録を防止するためである。
【００７４】
Ｓ２７０にて、既に仮登録を完了したことを示す、ＩＰ電話機管理テーブル１４ａにＩＰ電話機６ｂのＭＡＣアドレスが登録されている場合、ＩＰ電話機登録管理部１５ｃは、ＩＰ電話機６ｂから受信したＩＰアドレスを、登録されているＭＡＣアドレスに対応させてＩＰ電話機管理テーブル１４ａに登録する（Ｓ２９０）。
【００７５】
また、Ｓ２７０にて、ＩＰ電話機管理テーブル１４ａにＩＰ電話機６ｂのＭＡＣアドレスが登録されていない場合、登録できない旨の通知をＩＰ電話機６ｂへ送信する（Ｓ２８０）。
【００７６】
このようにして、交換機５が接続される第１のネットワーク２とはサブネットが異なる第２のネットワーク３へＩＰ電話機６ｂを設置する場合でも、最初に第１のネットワーク２にて交換機５のＩＰアドレスをブロードキャストで取得し、次に設置先である第２のネットワーク３へ接続して、ＩＰ電話機６ｂのＩＰアドレスの登録などを行うことにより、容易にＩＰ電話機６ｂの登録ができる。
【産業上の利用可能性】
【００７７】
本発明は、電話機と交換機が異なるサブネットのネットワークに接続されていても、それぞれのアドレス情報などが容易に設定できるので、交換機とその交換機に収容される電話機とがＬＡＮで接続される交換機システムおよびその登録方法に好適である。
【図面の簡単な説明】
【００７８】
【図１】本発明の実施の形態に係る交換機システムの構成を説明する図
【図２】図１の交換機システムに用いる電話機の一例であるＩＰ電話機の構成を説明する図
【図３】図２の電話機の電話機データ制御部の構成を説明する図
【図４】図１の交換機システムに用いられる交換機の構成を説明する図
【図５】図１の交換機システムに用いられる電話機の動作を説明するフローチャート
【図６】図１の交換機の動作を説明するフローチャート
【符号の説明】
【００７９】
１    交換機システム
２    第１のネットワーク
３    第２のネットワーク
４    ルータ
５    交換機
６，６ａ，６ｂ    ＩＰ電話機
７，８    ＬＡＮスイッチ
９，１０    ＤＨＣＰサーバ
１１    ＬＡＮ−Ｉ／Ｆ部
１２    アップリンクＩ／Ｆ部
１３    スイッチ部
１４    記憶部
１４ａ    ＩＰ電話機管理テーブル
１４ｂ    交換機アドレス記憶部
１５    制御部
１５ａ    交換機アドレス通知部
１５ｂ    電話番号割当部
１５ｃ    ＩＰ電話機登録管理部
１５ｄ    ＩＰ電話機管理テーブル消去部
２１    ＬＡＮ−Ｉ／Ｆ部
２２    ＩＰパケット処理部
２３    音声符号化部
２４    マイク
２５    スピーカ
２６    入力部
２７    表示部
２８    電話機データ記憶部
２９    電話機データ制御部
２９ａ    発信制御部
２９ｂ    交換機アドレス要求部
２９ｃ    交換機アドレス受信部
２９ｄ    電話機アドレス要求部
２９ｅ    電話機アドレス受信部
２９ｆ    交換機アドレス消去部
【図１】
2005260642.tif 000003
【図２】
2005260642.tif 000004
【図３】
2005260642.tif 000005
【図４】
2005260642.tif 000006
【図５】
2005260642.tif 000007
【図６】
2005260642.tif 000008